(57)【要約】【課題】記録媒体の利用性を向上させることができるようにする。【解決手段】本発明に係る情報処理装置に適用可能な携帯電話機１においては、主制御部３１は、記録媒体であるメモリカード４６が携帯電話機１に挿入される際、または取り外される際の情報である記録媒体取扱情報を生成し、記憶部４７は、生成された記録媒体取扱情報を記憶する。【選択図】  図３
2008147950.tif 000002
【特許請求の範囲】
【請求項１】
記録媒体が挿抜可能な情報処理装置において、
前記記録媒体が前記情報処理装置に挿入される際、または取り外される際の情報である記録媒体取扱情報を生成する第１の生成手段と、
前記第１の生成手段により生成された前記記録媒体取扱情報を記憶する記憶手段とを備えることを特徴とする情報処理装置。
【請求項２】
前記記録媒体取扱情報には、少なくとも、前記記録媒体が前記情報処理装置に挿入される際、または取り外される際の日時、および前記記録媒体の挿入または取り外しに関する情報が含まれることを特徴とする請求項１に記載の情報処理装置。
【請求項３】
前記記録媒体取扱情報に付加するための情報である記録媒体取扱付加情報を生成する第２の生成手段をさらに備え、
前記記憶手段は、前記記録媒体取扱情報と、前記第２の生成手段により生成された前記記録媒体取扱付加情報を対応付けて記憶することを特徴とする請求項１に記載の情報処理装置。
【請求項４】
前記記録媒体取扱付加情報には、少なくとも、ＧＰＳ情報または基地局情報、集音された前記記録媒体の挿入時または取り外し時における周囲の環境音に関するデータである集音データ、メモ、ボイスメモ、および前記記録媒体の挿入時または取り外し時における周囲を撮像した画像信号のいずれか１つが含まれることを特徴とする請求項３に記載の情報処理装置。
【請求項５】
前記記憶手段により記憶されている前記記録媒体取扱情報を表示する表示手段をさらに備えることを特徴とする請求項１に記載の情報処理装置。
【発明の詳細な説明】
【技術分野】
【０００１】
本発明は情報処理装置に係り、特に、記録媒体の挿入または取り出しを行うことができるようにした情報処理装置に関する。
【背景技術】
【０００２】
最近、携帯電話機の小型化が年々進んできており、それに伴い、携帯電話機に用いられる関連部品の小型化も進んでいる。小型化が進んでいる関連部品として、例えば外部端子やコネクタ、記録媒体としてのメモリカードなど挙げられる。
【０００３】
特に、例えばＳＤカード（登録商標）などに代表されるメモリカードについては、パーソナコンピュータやＯＡ（Office Automation）機器との互換性を確保しつつ、総合メディアカードとしての利用が進むとともに、例えばｍｉｎｉＳＤ（登録商標）やｍｉｃｒｏＳＤ（登録商標）などのような、より小型な媒体へと移行してきている（例えば特許文献１参照）。
【特許文献１】特開２００６−１９５５９２号公報
【発明の開示】
【発明が解決しようとする課題】
【０００４】
しかしながら、このようなメモリカードを携帯電話機で利用する場合、ユーザによりメモリカードが繰り返し挿入されたり、取り出されたりするが、メモリカードがより小型化されると、ユーザが気づかないうちにメモリカードを紛失してしまう恐れがある。
【０００５】
勿論、メモリカードの紛失を防止するためにメモリカードの取り出しを極力行わないようにすることも可能であるが、メモリカードに記録された種々のデータを他の機器にエクスポートする際には、結局、少なくとも一度は携帯電話機からこのメモリカードを取り出さなければならず、メモリカードを紛失してしまう危険性は依然として存在する。
【０００６】
そのため、ユーザが気づかないうちにメモリカードを紛失してしまった場合には、ユーザは、どこでメモリカードを携帯電話機から取り出したかを知ることができず、その結果、紛失したメモリカードを探し出すことが困難であるという課題があった。
【０００７】
本発明は、このような状況に鑑みてなされたものであり、記録媒体の利用性を向上させることができる情報処理装置を提供することを目的とする。
【課題を解決するための手段】
【０００８】
本発明の情報処理装置は、上述した課題を解決するために、記録媒体が挿抜可能な情報処理装置において、記録媒体が情報処理装置に挿入される際、または取り外される際の情報である記録媒体取扱情報を生成する第１の生成手段と、第１の生成手段により生成された記録媒体取扱情報を記憶する記憶手段とを備えることを特徴とする。
【０００９】
本発明の情報処理装置においては、記録媒体が情報処理装置に挿入される際、または取り外される際の情報である記録媒体取扱情報が生成され、生成された記録媒体取扱情報が記憶される。
【発明の効果】
【００１０】
本発明によれば、記録媒体の利用性を向上させることができる。
【発明を実施するための最良の形態】
【００１１】
以下、本発明の実施の形態について、図面を参照しながら説明する。
【００１２】
図１は、本発明に係る情報処理装置として適用可能な携帯電話機１の外観の構成を表している。なお、図１［Ａ］は、携帯電話機１を約１８０度に見開いたときの正面から見た外観の構成を表しており、図１［Ｂ］は、携帯電話機１を見開いたときの側面から見た外観の構成を表している。
【００１３】
図１［Ａ］および［Ｂ］に示されるように、携帯電話機１は、中央のヒンジ部１１を境に第１の筐体１２と第２の筐体１３とがヒンジ結合されており、ヒンジ部１１を介して矢印Ｘ方向に折り畳み可能に形成される。携帯電話機１の内部の所定の位置には、送受信用のアンテナ（後述する図３のアンテナ４４）が設けられており、内蔵されたアンテナを介して基地局（図示せず）との間で電波を送受信する。
【００１４】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００１５】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられた液晶ディスプレイ１７に表示されている電話帳リストや電子メールのスクロール動作、簡易ホームページのページ捲り動作および画像の送り動作などの種々の動作を実行する。
【００１６】
また、確定キーを押下することにより、種々の機能を確定することができる。例えば第１の筐体１２は、ユーザによる十字キーの操作に応じて液晶ディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００１７】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。なお、十字キーと確定キーの左右隣に設けられた電子メールキーおよびブラウザキーは、液晶ディスプレイ１７に表示される画面により例えば「Yes」や「No」などの種々の機能をもつことが可能であるため、それぞれ、soft１キーおよびsoft２キーと呼ばれる。
【００１８】
また、第１の筐体１２には、操作キー１４の下部にマイクロフォン１５が設けられており、マイクロフォン１５によって通話時のユーザの音声を集音する。また、第１の筐体１２には、携帯電話機１の操作を行うサイドキー１６が設けられている。
【００１９】
なお、第１の筐体１２は、背面側に図示しないバッテリパックが挿着されており、終話・電源キーがオン状態になると、バッテリパックから各回路部に対して電力が供給されて動作可能な状態に起動する。
【００２０】
一方、第２の筐体１３には、その正面に液晶ディスプレイ１７（メインディスプレイ）が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図２のＣＣＤカメラ２０）で撮像した画像、外部のコンテンツサーバ（図示せず）より受信したコンテンツ、メモリカード（後述する図３のメモリカード４６）に記憶されているコンテンツを表示することができる。また、液晶ディスプレイ１７の上部の所定の位置にはスピーカ１８が設けられており、これにより、ユーザは音声通話することが可能である。
【００２１】
さらに、第１の筐体１２と第２の筐体１３の内部の所定の位置には、携帯電話機１の状態を検知するための磁気センサ１９a、１９b、１９c、および１９dが設けられる。
【００２２】
図２は、本発明に係る情報処理装置として適用可能な携帯電話機１の他の外観の構成を表している。図２の携帯電話機１の状態は、図１の携帯電話機１の状態から矢印Ｘ方向に回動させた状態である。なお、図２［Ａ］は、携帯電話機１を閉じたときの正面から見た外観の構成を表しており、図２［Ｂ］は、携帯電話機１を閉じたときの側面から見た外観の構成を表している。
【００２３】
第２の筐体１３の上部には、ＣＣＤカメラ２０が設けられており、これにより、所望の撮影対象を撮像することができる。ＣＣＤカメラ２０の下部には、サブディスプレイ２１が設けられており、現在のアンテナの感度のレベルを示すアンテナピクト、携帯電話機１の現在の電池残量を示す電池ピクト、現在の時刻などが表示される。
【００２４】
サブディスプレイ２１の下部には、さらに、静電タッチパッド２２が設けられる。静電タッチパッド２２は、見かけ上一枚のタッチパッドになっているが、図示せぬセンサが複数個所に設けられており、ユーザがセンサの付近をタッチすると、センサがそれを検知し、巻戻し機能、早送り機能、音量ダウン動作、音量アップ動作、再生動作、および一時停止動作などが実行される。
【００２５】
図３は、本発明に係る情報処理装置として適用可能な携帯電話機１の内部の構成を表している。
【００２６】
図３に示されるように、携帯電話機１は、第１の筐体１２及び第２の筐体１３の各部を統括的に制御する主制御部３１に対して、電源回路部３２、操作入力制御部３３、画像エンコーダ３４、カメラインタフェース部３５、ＬＣＤ（Liquid Crystal Display）制御部３６、多重分離部３８、変復調回路部３９、音声コーデック４０、記憶部４７、音楽制御部４８、およびＧＰＳ受信部４９がメインバス４１を介して互いに接続されるとともに、画像エンコーダ３４、画像デコーダ３７、多重分離部３８、変復調回路部３９、音声コーデック４０、および記録再生部４５が同期バス４２を介して互いに接続されて構成される。
【００２７】
電源回路部３２は、ユーザの操作により終話・電源キーがオン状態にされると、バッテリパックから各部に対して電力を供給することにより携帯電話機１を動作可能な状態に起動する。
【００２８】
主制御部３１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４７からＲＡＭにロードされた各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。
【００２９】
なお、主制御部３１には、現在の日付と時刻を正確に計測するタイマが内蔵されている。
【００３０】
携帯電話機１は、主制御部３１の制御に基づいて、音声通話モード時にマイクロフォン１５で集音した音声信号を音声コーデック４０によってディジタル音声信号に変換、圧縮し、これを変復調回路部３９でスペクトラム拡散処理し、送受信回路部４３でディジタルアナログ変換処理及び周波数変換処理を施した後にアンテナ４４を介して送信する。
【００３１】
また、携帯電話機１は、音声通話モード時にアンテナ４４で受信した受信信号を増幅して周波数変換処理及びアナログディジタル変換処理を施し、変復調回路部３９でスペクトラム逆拡散処理し、音声コーデック４０によって伸張し、アナログ音声信号に変換した後、変換されたアナログ音声信号をスピーカ１８を介して出力する。
【００３２】
さらに、携帯電話機１は、データ通信モード時に電子メールを送信する場合、操作キー１４の操作によって入力された電子メールのテキストデータを操作入力制御部３３を介して主制御部３１に送出する。主制御部３１は、テキストデータを変復調回路部３９でスペクトラム拡散処理し、送受信回路部４３でディジタルアナログ変換処理及び周波数変換処理を施した後にアンテナ４４を介して基地局（図示せず）へ送信する。
【００３３】
これに対して携帯電話機１は、データ通信モード時に電子メールを受信する場合、アンテナ４４を介して基地局（図示せず）から受信した受信信号を変復調回路部３９でスペクトラム逆拡散処理して元のテキストデータを復元した後、ＬＣＤ制御部３６を介して液晶ディスプレイ１７に電子メールとして表示する。
【００３４】
その後携帯電話機１は、ユーザの操作に応じて受信した電子メールを記録再生部４５を介してメモリカード４６に記録することも可能である。
【００３５】
携帯電話機１は、画像信号を送信しない場合には、ＣＣＤカメラ２０で撮像した画像信号をカメラインタフェース部４５及びＬＣＤ制御部４６を介して液晶ディスプレイ１７に直接表示する。
【００３６】
携帯電話機１は、データ通信モード時に画像信号を送信する場合、ＣＣＤカメラ２０で撮像された画像信号をカメラインタフェース部３５を介して画像エンコーダ３４に供給する。
【００３７】
画像エンコーダ３４は、ＣＣＤカメラ２０から供給された画像信号を、例えばＭＰＥＧ（Moving Picture Experts Group）４などの所定の符号化方式によって圧縮符号化することにより符号化画像信号に変換し、変換された符号化画像信号を多重分離部３８に送出する。このとき同時に携帯電話機１は、ＣＣＤカメラ２０で撮像中にマイクロフォン１５で集音した音声を音声コーデック４０を介してディジタルの音声信号として多重分離部３８に送出する。
【００３８】
多重分離部３８は、画像エンコーダ３４から供給された符号化画像信号と音声コーデック４０から供給された音声信号とを所定の方式で多重化し、その結果得られる多重化信号を変復調回路部３９でスペクトラム拡散処理し、送受信回路部４３でディジタルアナログ変換処理及び周波数変換処理を施した後にアンテナ４４を介して送信する。
【００３９】
これに対して、携帯電話機１では、データ通信モード時に、Ｗｅｂページのデータを受信することができる。
【００４０】
すなわち、携帯電話機１において、データ通信モードに、例えばＷｅｂページを要求するデータを送信すると、その要求に応じて、Ｗｅｂページのデータが基地局（図示せず）を介して送信される。このＷｅｂページのデータは、アンテナ４４を介して送受信回路部４３および変復調回路部３９で受信される。送受信回路部４３および変復調回路部３９は、受信したＷｅｂページのデータを主制御部３１に送出する。
【００４１】
主制御部３１は、Ｗｅｂページのデータを解釈し、その解釈に基づく画面（画像）を作成する。作成された画面は、主制御部３１からＬＣＤ制御部３６を介して液晶ディスプレイ１７に供給されて表示される。すなわち、主制御部３１のＲＯＭまたは記憶部４７には、少なくともＷｅｂブラウザのアプリケーションプログラムがインストールされており、主制御部３１のＣＰＵは、ＲＡＭ上でＷｅｂブラウザのアプリケーションプログラムを実行することで、Ｗｅｂブラウザとして機能し、Ｗｅｂページのデータの解釈などを行う。
【００４２】
また、携帯電話機１は、データ通信モード時に例えばＷｅｂページなどにリンクされた動画像ファイルのデータを受信する場合、アンテナ４４を介して基地局（図示せず）から受信した受信信号を変復調回路部３９でスペクトラム逆拡散処理し、その結果得られる多重化信号を多重分離部３８に送出する。
【００４３】
多重分離部３８は、多重化信号を分離することにより符号化画像信号と音声信号とに分け、同期バス４２を介して符号化画像信号を画像デコーダ３７に供給すると共に音声信号を音声コーデック４０に供給する。画像デコーダ３７は、符号化画像信号をＭＰＥＧ４などの所定の符号化方式に対応した復号化方式でデコードすることにより再生動画像信号を生成し、生成された再生動画像信号をＬＣＤ制御部３６を介して液晶ディスプレイ１７に供給する。これにより、例えば、Ｗｅｂページなどにリンクされた動画像ファイルに含まれる動画像データが表示される。
【００４４】
このとき同時に音声コーデック４０は、音声信号をアナログ音声信号に変換した後、これをスピーカ１８に供給し、これにより、例えば、Ｗｅｂページなどにリンクされた動画像ファイルに含まる音声信号が再生される。この場合も電子メールの場合と同様に携帯電話機１は、受信したＷｅｂページなどにリンクされたデータをユーザの操作により記録再生部４５を介してメモリカード４６に記録することが可能である。
【００４５】
記憶部４７は、例えば、電気的に書換えや消去が可能な不揮発性メモリであるフラッシュメモリ素子やＨＤＤ（Hard Disc Drive）などからなり、主制御部３１のＣＰＵにより実行される種々のアプリケーションプログラムや種々のデータ群を格納している。また、記憶部４７は、必要に応じて、ユーザの操作に応じて受信した電子メールや、受信したＷｅｂページなどにリンクされた動画像ファイルに含まれる動画像データなどを記憶する。
【００４６】
音楽制御部４８は、記憶部４７に記憶されているオーディオデータの再生動作および一時停止動作や、巻戻し機能、早送り機能、音量ダウン動作、音量アップ動作などの実行を制御する。
【００４７】
ＧＰＳ受信部４９は、図示せぬＧＰＳ放送局からのＧＰＳ波（ＧＰＳ情報（緯度経度情報など））を受信する。
【００４８】
次に、図４のフローチャートを参照して、図３の携帯電話機１における記録媒体取扱情報記憶処理について説明する。この記録媒体取扱情報記憶処理は、ユーザにより記録媒体としてのメモリカード４６の挿入または取り出しがなされることにより、開始される。
【００４９】
ステップＳ１において、主制御部３１は、記録再生部４５を介して、ユーザによりメモリカード４６の挿入または取り出しがなされたか否かを判定し、ユーザによりメモリカード４６の挿入または取り出しがなされたと判定するまで待機する。
【００５０】
ステップＳ１においてユーザによりメモリカード４６の挿入または取り出しがなされたと判定された場合、主制御部３１は、記録媒体としてのメモリカード４６が取り扱われる際の情報である記録媒体取扱情報を生成する。
【００５１】
具体的には、主制御部３１は、内蔵されたタイマを用いて取り出し日時を取得し、取得された取り出し日時と、記録再生部４５を介して判定されたメモリカード４６の挿入または取り出しの状況に基づいて、例えば図５に示されるように、記録媒体取扱情報を生成する。
【００５２】
例えば図５の場合、記録媒体取扱情報には、取扱状況に関する情報としてメモリカード４６の取り出しに関する情報と、取扱日時に関する情報として「２００６／１２／０８  １８：０５」が含まれている。
【００５３】
ステップＳ３において、主制御部３１は、メインバス４１を介して、ＧＰＳ受信部４９を起動する。ステップＳ４において、ＧＰＳ受信部４９は、主制御部３１の制御に従い、図示せぬＧＰＳ放送局からのＧＰＳ情報を受信し、受信されたＧＰＳ情報を主制御部３１に供給する。主制御部３１は、ＧＰＳ受信部４９から供給されたＧＰＳ情報を取得する。
【００５４】
例えばメモリカード４６の挿入または取り出しがなされた際の携帯電話機１の現在地が「東京都西新橋２丁目」である場合、取得されたＧＰＳ情報に現在地が「東京都西新橋２丁目」であることを示す情報が含まれている。なお、このＧＰＳ情報は、緯度経度を取得することが一般的であるが、その緯度経度情報をそのまま記憶してもよいし、上記説明のように緯度経度に対応した住所情報を記憶してもよい。緯度経度に対応した住所情報を記憶する際には、外部のサーバ（図示せず）などにアクセスして住所情報を得るようにしてもよい。以降、「ＧＰＳ情報」とは緯度経度情報などのＧＰＳ受信部４９から供給された情報や、その情報に対応する住所情報などの情報も含むものとする。以下は、具体例として、住所情報を例として説明する。
【００５５】
ステップＳ５において、主制御部３１は、マイクロフォン１５を制御し、マイクロフォン１５に、記録媒体としてのメモリカード４６が取り扱われる際の周囲の環境音を集音させる。マイクロフォン１５は、主制御部３１の制御に従い、記録媒体としてのメモリカード４６が取り扱われる際の周囲の環境音を順次集音する。
【００５６】
例えばユーザによりメモリカード４６が電車の駅の構内で取り出された場合、環境音として「ガタン・ゴトン」などの車両の駆動音や「ガヤ・ガヤ」などの利用者のしゃべり声などが集音される。また、例えばユーザによりメモリカード４６が会社で取り外された場合、環境音として「パチン・パチン」などの他のユーザがパーソナルコンピュータなどを操作する際のキーボードを叩く音が集音される。
【００５７】
主制御部３１は、音声コーデック４０を制御し、集音された記録媒体としてのメモリカード４６が取り扱われる際の周囲の環境音をディジタル音声信号に変換、圧縮し、圧縮後のディジタル音声信号（集音データ）を順次ＲＡＭに一時的に記憶させる。
【００５８】
ステップＳ６において、主制御部３１は、内蔵されたタイマを用いて、予め設定された所定の時間（例えば５秒間など）が経過したか否かを判定する。ステップＳ６において予め設定された所定の時間が経過していないと判定された場合、処理はステップＳ５に戻り、ステップＳ５の集音処理により、記録媒体としてのメモリカード４６が取り扱われる際の周囲の環境音が集音される。
【００５９】
ステップＳ６において予め設定された所定の時間が経過したと判定された場合、主制御部３１はステップＳ７で、取得されたＧＰＳ情報と、ＲＡＭに一時的に記憶されている集音データ（ディジタル音声信号）とに基づいて、記録媒体取扱情報（記録媒体が取り扱われる際の情報）に付加するための情報である記録媒体取扱付加情報を生成する。
【００６０】
例えば図５の場合、記録媒体取扱付加情報には、ＧＰＳ情報として現在地が「東京都西新橋２丁目」であることを示す情報と、集音データＣが含まれている。
【００６１】
ステップＳ８において、主制御部３１は、記憶部４７に記憶されている記録媒体取扱履歴を読み出す。
【００６２】
例えば図６の記録媒体取扱履歴の第１列目乃至第４列目には、記録媒体取扱情報として「取扱状況」と「取扱日時」、そして、記録媒体取扱付加情報として「ＧＰＳ情報」と「集音データ」が記載されており、それぞれ、記録媒体であるメモリカード４６が取り扱われた際の状況、記録媒体であるメモリカード４６が取り扱われた日時、記録媒体であるメモリカード４６の挿入または取り出しがなされた際の携帯電話機１の現在地に関する情報、記録媒体であるメモリカード４６が取り扱われる際に集音された周囲の環境音に関するデータを示している。
【００６３】
例えば図６の記録媒体取扱履歴の第１行目の場合、「取扱状況」は「挿入」であり、記録媒体であるメモリカード４６が取り扱われた際の状況が「挿入」であることを示している。「取扱日時」は「２００６／１２／０７／２１：２３」であり、記録媒体であるメモリカード４６が取り扱われた日時が「２００６／１２／０７／２１：２３」であることを示している。「ＧＰＳ情報」は「東京都太田区蒲田本町１丁目」であり、記録媒体であるメモリカード４６の挿入または取り出しがなされた際の携帯電話機１の現在地に関する情報が「東京都太田区蒲田本町１丁目」であることを示している。「集音データ」は「集音データＢ」であり、記録媒体であるメモリカード４６が取り扱われる際に集音された周囲の環境音に関するデータが「集音データＢ」であることを示している。
【００６４】
例えば図６の記録媒体取扱履歴の第２行目の場合、「取扱状況」は「取り出し」であり、記録媒体であるメモリカード４６が取り扱われた際の状況が「取り出し」であることを示している。「取扱日時」は「２００６／１２／０５／０８：３０」であり、記録媒体であるメモリカード４６が取り扱われた日時が「２００６／１２／０５／０８：３０」であることを示している。「ＧＰＳ情報」は「東京都港区港南２丁目」であり、記録媒体であるメモリカード４６の挿入または取り出しがなされた際の携帯電話機１の現在地に関する情報が「東京都港区港南２丁目」であることを示している。「集音データ」は「集音データＡ」であり、記録媒体であるメモリカード４６が取り扱われる際に集音された周囲の環境音に関するデータが「集音データＡ」であることを示している。
【００６５】
ステップＳ９において、主制御部３１は、生成された記録媒体取扱情報と記憶媒体取扱付加情報を対応付けて記憶部４７から読み出された記録媒体取扱履歴に記憶（登録）させる。記憶部４７は、主制御部３１の制御に従い、生成された記録媒体取扱情報と記憶媒体取扱付加情報を対応付けて記録媒体取扱履歴に記憶（登録）する。
【００６６】
例えば図６に示される記録媒体取扱履歴は、例えば図７に示されるように更新される。
【００６７】
その後、例えばユーザが気づかないうちにメモリカード４６を紛失してしまい、紛失したメモリカード４６を探し出す場合に、記憶部４７に記憶されている記録媒体取扱履歴を読み出し、液晶ディスプレイ１７に読み出された記録媒体取扱履歴を表示するようにする。これにより、ユーザは、記録媒体であるメモリカード４６が最後にどの場所で取り出されたのかについて知ることができ、その場所に従い、効率的に紛失したメモリカード４６の捜索を行うことができる。以下、この方法を用いた記録媒体取扱履歴表示処理について説明する。
【００６８】
図８のフローチャートを参照して、図３の携帯電話機１における記録媒体取扱履歴表示処理について説明する。この記録媒体取扱履歴表示処理は、ユーザにより操作キー１４が操作されることにより記録媒体取扱履歴表示処理を開始するとの指示がなされることで、開始される。
【００６９】
ステップＳ１１において、主制御部３１は、ユーザにより操作キー１４が操作されることにより記録媒体取扱履歴表示処理を開始するとの指示がなされたか否かを判定し、操作キー１４が操作されることにより記録媒体取扱履歴表示処理を開始するとの指示がなされたと判定するまで待機する。
【００７０】
ステップＳ１１において操作キー１４が操作されることにより記録媒体取扱履歴表示処理を開始するとの指示がなされたと判定された場合、主制御部３１はステップＳ１２で、記憶部４７に記憶されている記録媒体取扱履歴を読み出す。
【００７１】
ステップＳ１３において、主制御部３１は、ＬＣＤ制御部３６を制御し、読み出された記録媒体取扱履歴を液晶ディスプレイ１７に表示させる。液晶ディスプレイ１７は、ＬＣＤ制御部３６の制御に従い、読み出された記録媒体取扱履歴を表示する。
【００７２】
例えば図９［Ａ］に示されるように、記録媒体であるメモリカード４６の最直近の取扱状況や取扱日時、ＧＰＳ情報などが表示される。これにより、ユーザは、記録媒体であるメモリカード４６が最後に「東京都港区西新橋２丁目」（例えばユーザが勤務する会社の支店が存在する場所）で取り出されたのかについて知ることができ、その場所に従い、効率的に紛失したメモリカード４６の捜索を行うことができる。
【００７３】
また、適宜、メモリカード４６が取り扱われる際に集音された周囲の環境音を再生して聞くことができる。これにより、ユーザは、記録媒体であるメモリカード４６を取り出した際の周囲の環境を、環境音から判断することができるとともに、記録媒体であるメモリカード４６を取り出した際の自らの行動を思い出すことが可能となる。
【００７４】
なお、図９［Ａ］に示されるように、ユーザは、操作キー１４を操作することにより液晶ディスプレイ１７に表示される表示画面をスクロールすることで、これまでの記録媒体が取り扱われる際の履歴を調べることができる。
【００７５】
本発明の実施形態においては、ユーザにより記録媒体であるメモリカード４６の挿入または取り出しがなされたか否かを判定し、ユーザにより記録媒体であるメモリカード４６の挿入または取り出しがなされたと判定された場合、記録媒体としてのメモリカード４６が取り扱われる際の情報である記録媒体取扱情報を生成することができる。また、ユーザにより記録媒体であるメモリカード４６の挿入または取り出しがなされたと判定された場合、ＧＰＳ情報を受信するとともに、記録媒体であるメモリカード４６が取り扱われる際の周囲の環境音を集音し、受信されたＧＰＳ情報と集音された周囲の環境音に基づいて、記録媒体取扱情報に付加するための記録媒体取扱付加情報を生成することができる。
【００７６】
さらに、生成された記録媒体取扱情報と記録媒体取扱付加情報を対応付けて記録媒体取扱履歴に記憶（登録）することができる。
【００７７】
従って、ユーザが気づかないうちにメモリカードを紛失してしまった場合に、ユーザは、どこでメモリカードを携帯電話機から最終的に取り出したかを知ることができ、その場所に従い、効率的に紛失したメモリカード４６の捜索を行うことができる。
【００７８】
その結果、記録媒体の利用性を向上させることができる。
【００７９】
ところで、記録媒体であるメモリカード４６を取り出す際に、ユーザにその旨（ユーザに現在メモリカード４６の取り出しが行われている旨）を報知するための報知音を発生するようにしてもよい。以下、この方法を用いた記録媒体取り出し時報知音発生処理について説明する。
【００８０】
図１０のフローチャートを参照して、図３の携帯電話機１における記録媒体取り出し時報知音発生処理について説明する。この記録媒体取り出し時報知音発生処理は、ユーザにより記録媒体としてのメモリカード４６の取り出しがなされることにより、開始される。
【００８１】
ステップＳ２１において、主制御部３１は、記録再生部４５を介して、ユーザによりメモリカード４６の取り出しがなされたか否かを判定し、ユーザによりメモリカード４６の取り出しがなされたと判定するまで待機する。
【００８２】
ステップＳ２１においてユーザによりメモリカード４６の取り出しがなされたと判定された場合、主制御部３１は、記憶部４７に記憶されている、メモリカード４６を取り出す際にユーザにその旨を報知するための報知音（例えばピーなどの音）を読み出し、読み出された報知音を音声コーデック４０に供給する。なお、記憶部４７から読み出された報知音は、ディジタル音声信号である。
【００８３】
音声コーデック４０は、主制御部３１の制御に従い、ディジタル音声信号の報知音をアナログ音声信号の報知音に変換した後、変換後のアナログ音声信号の報知音をスピーカ１８に供給する。スピーカ１８は、音声コーデック４０から供給されたアナログ音声信号の報知音を取得し、取得されたアナログ音声信号の報知音を出力し、報知音の発生を開始する。
【００８４】
ステップＳ２３において、主制御部３１は、内蔵されたタイマを用いて、予め設定された所定の時間（例えば２秒間など）が経過したか否かを判定する。ステップＳ２３において予め設定された所定の時間が経過していないと判定された場合、処理はステップＳ２２に戻り、ステップＳ２２において報知音の発生処理が行われる。これにより、予め設定された所定の時間（例えば２秒間など）が経過するまで、報知音が発生される。
【００８５】
ステップＳ２３において予め設定された所定の時間が経過したと判定された場合、主制御部３１はステップＳ２４で、音声コーデック４０を介してスピーカ１８を制御し、報知音の発生を停止する。
【００８６】
その後、ステップＳ２５において、主制御部３１は、ステップＳ２２における報知音の開始から予め設定された所定の回数（例えば２、３回など）報知音を鳴らした（発生した）か否かを判定する。そして、ステップＳ２５において予め設定された所定の回数報知音を鳴らした（発生した）と判定された場合、記録媒体取り出し時報知音発生処理を終了する（ステップＳ２５「Ｙｅｓ」）。一方、ステップＳ２５において予め設定された所定の回数報知音を鳴らしていないと判断された場合は、主制御部３１はステップＳ２６で、内蔵されたタイマを用いて、ステップＳ２４の報知音の停止から所定の時間（予め定められた時間をタイマでカウントする）が経過したか否かを判定する。そして、ステップＳ２６において、テップＳ２４の報知音の停止から所定の時間経過したと判定された場合には処理はステップＳ２２に戻り、ステップＳ２２において報知音の発生が開始される。これにより、予め設定された所定の回数、報知音の発生が所定の時間ごとに繰り返される。
【００８７】
これにより、ユーザは、記録媒体であるメモリカード４６を取り出していることを認識しつつ、メモリカード４６の取り出しを行うことができ、もしメモリカード４６を紛失したとしても、最後にどこで取り出したかを容易に思い出すことが可能となる。
【００８８】
従って、記録媒体の利用性をより向上させることができる。
【００８９】
なお、記録媒体取扱付加情報を生成する際に、メモ入力受付画面を液晶ディスプレイ１７に表示し、記録媒体であるメモリカード４６の挿入または取り出しの際に特徴となるメモをユーザにより入力させるようにしてもよい。これにより、ユーザは、どこでメモリカード４６を挿入または取り出したのかを正確に記録することができるとともに、メモリカード４６の挿入または取り出しという行為自体を行っているということを認識することができる。以下、この方法を用いた記録媒体取扱情報記憶処理について説明する。
【００９０】
図１１のフローチャートを参照して、図３の携帯電話機１における他の記録媒体取扱情報記憶処理について説明する。なお、図１１のステップＳ３１乃至Ｓ３６、およびステップＳ４１乃至Ｓ４３の処理は、図４のステップＳ１乃至Ｓ９の処理と同様であり、その説明は繰り返しになるので省略する。
【００９１】
ステップＳ３７において、主制御部３１は、ＬＣＤ制御部３６を制御し、メモの入力の受け付けを指示するためのメモ入力受付指示画面を液晶ディスプレイ１７に表示させる。液晶ディスプレイ１７は、ＬＣＤ制御部３６の制御に従い、メモの入力の受け付けを指示するためのメモ入力受付指示画面を表示する。
【００９２】
例えば図９［Ｂ］に示されるメモ入力受付指示画面は、メッセージ表示欄５１、およびコマンドを表示するコマンド表示欄５２とコマンド表示欄５３を有する。
【００９３】
図９［Ｂ］の例の場合、メッセージ表示欄５１には、メッセージとして「メモを入力しますか？」が表示される。これにより、ユーザは、これ以降の処理により、メモリカード４６の挿入または取り出しを行う際のメモの入力受付を指示することができることが分かる。
【００９４】
コマンド表示欄５２とコマンド表示欄５３は、それぞれ、「Ｙｅｓ」と「Ｎｏ」というコマンドのアイコンを有している。ユーザは、操作キー１４を操作することにより、コマンド表示欄５２の「Ｙｅｓ」のコマンドアイコンを選択し、メモの入力受付の開始を指令することができる。また、ユーザは、操作キー１４を操作することにより、コマンド表示欄５３の「Ｎｏ」のコマンドアイコンを選択し、メモの入力受付処理をキャンセルすることができる。
【００９５】
ステップＳ３８において、主制御部３１は、図９［Ｂ］のメモ入力受付指示画面に基づいて、ユーザが操作キー１４を操作してコマンド表示欄５２の「Ｙｅｓ」のアイコンを選択することにより、メモの入力受付が指示されたか否かを判定する。
【００９６】
具体的には、ユーザが操作キー１４を操作することによりコマンド表示欄５２の「Ｙｅｓ」のアイコンを選択した場合、ステップＳ３８で主制御部３１は、ユーザが操作キー１４を操作してコマンド表示欄５２の「Ｙｅｓ」のアイコンを選択することによりメモの入力受付が指示されたと判定する。
【００９７】
ステップＳ３８においてユーザにより操作キー１４が操作されてコマンド表示欄５２の「Ｙｅｓ」のアイコンが選択されることによりメモの入力受付が指示されたと判定された場合、主制御部３１はステップＳ３９で、ＬＣＤ制御部３６を制御し、メモの入力を受け付けるためのメモ入力受付画面を液晶ディスプレイ１７に表示させる。液晶ディスプレイ１７は、ＬＣＤ制御部３６の制御に従い、メモの入力を受け付けるためのメモ入力受付画面を表示する。
【００９８】
例えば図９［Ｃ］に示されるメモ入力受付画面は、メッセージ表示欄５４、メモ入力受付欄５５、およびコマンドを表示するコマンド表示欄５６を有する。
【００９９】
図９［Ｃ］の例の場合、メッセージ表示欄５４には、メッセージとして「メモを入力してください。」が表示される。これにより、ユーザは、これ以降の処理により、メモリカード４６の挿入または取り出しを行う際のメモを入力することができることが分かる。
【０１００】
メモ入力受付欄５５は、ユーザの好みに応じたメモの入力を受け付ける。例えば図９［Ｃ］の場合、メモ入力受付欄５５には、「品川駅」というメモの入力が受け付けられる。
【０１０１】
コマンド表示欄５６は、「ＯＫ」というコマンドのアイコンを有している。ユーザは、操作キー１４を操作することにより、コマンド表示欄５６の「ＯＫ」のコマンドアイコンを選択し、メモの入力受付の確定を指令することができる。
【０１０２】
ステップＳ４０において、主制御部３１は、操作入力制御部３３を介して、ユーザにより操作キー１４が操作されることにより、メモ入力受付画面上においてメモの入力を受け付ける。例えば図９［Ｃ］の場合、メモ入力受付画面のメモ入力受付欄５５には、「品川駅」というメモの入力が受け付けられる。なお、このメモには、テキストデータなどが含まれる。
【０１０３】
一方、ステップＳ３８においてユーザにより操作キー１４が操作されてコマンド表示欄５２の「Ｙｅｓ」のアイコンが選択されずに、メモの入力受付が指示されていないと判定された場合（すなわち、ユーザにより操作キー１４が操作されてコマンド表示欄５３の「Ｎｏ」のアイコンが選択されることによりメモの入力受付が指示されていないと判定された場合）、ステップＳ３９乃至Ｓ４０の処理はスキップされる。これにより、ユーザによりメモが入力されず、メモの入力は受け付けられない。
【０１０４】
その後、ステップＳ４１に進み、ステップＳ４０のメモ入力受付処理によりメモの入力が受け付けられた場合には、ＧＰＳ情報と集音データだけでなく、さらに入力が受け付けられたメモに関するデータとに基づき、ステップＳ４１において記録媒体取扱付加情報が生成される。一方、ステップＳ４０のメモ入力受付処理によりメモの入力が受け付けられなかった場合には、ＧＰＳ情報と集音データのみに基づいて、ステップＳ４１において記録媒体取扱付加情報が生成される。
【０１０５】
これにより、ユーザは、後日メモを液晶ディスプレイ１７に表示させることで、どこでメモリカード４６を挿入または取り出したのかを正確に記録することができるとともに、メモリカード４６の挿入または取り出しという行為自体を行っているということを認識することができる。
【０１０６】
従って、ユーザが気づかないうちにメモリカードを紛失してしまった場合に、ユーザは、どこでメモリカードを携帯電話機から最終的に取り出したかを確実に知ることができ、その場所に従い、効率的に紛失したメモリカード４６の捜索を行うことができる。
【０１０７】
その結果、記録媒体の利用性をより向上させることができる。
【０１０８】
なお、図１１のフローチャートを用いて説明した記録媒体取扱情報記憶処理においては、メモ入力受付画面を表示し、ユーザにより操作キー１４が操作されることで、記録媒体であるメモリカード４６の挿入または取り出しが行われる際のメモの入力を受け付けるようにしたが、このような場合に限られず、ユーザによるボイスメモ（音声によるメモ）の入力を受け付けるようにしてもよい。以下、この方法を用いた記録媒体取扱情報記憶処理について説明する。
【０１０９】
図１２のフローチャートを参照して、図３の携帯電話機１における他の記録媒体取扱情報記憶処理について説明する。なお、図１１のステップＳ５１乃至Ｓ５６、およびステップＳ６１乃至Ｓ６３の処理は、図４のステップＳ１乃至Ｓ９の処理と同様であり、その説明は繰り返しになるので省略する。
【０１１０】
ステップＳ５７において、主制御部３１は、ＬＣＤ制御部３６を制御し、ボイスメモの入力の受け付けを指示するためのボイスメモ入力受付指示画面を液晶ディスプレイ１７に表示させる。液晶ディスプレイ１７は、ＬＣＤ制御部３６の制御に従い、メモの入力の受け付けを指示するためのメモ入力受付指示画面を表示する。
【０１１１】
例えば図９［Ｄ］に示されるメモ入力受付指示画面は、メッセージ表示欄５７、およびコマンドを表示するコマンド表示欄５８とコマンド表示欄５９を有する。
【０１１２】
図９［Ｄ］の例の場合、メッセージ表示欄５１には、メッセージとして「ボイスメモを入力しますか？」が表示される。これにより、ユーザは、これ以降の処理により、メモリカード４６の挿入または取り出しを行う際のボイスメモの入力受付を指示することができることが分かる。
【０１１３】
コマンド表示欄５８とコマンド表示欄５９は、それぞれ、「Ｙｅｓ」と「Ｎｏ」というコマンドのアイコンを有している。ユーザは、操作キー１４を操作することにより、コマンド表示欄５８の「Ｙｅｓ」のコマンドアイコンを選択し、ボイスメモの入力受付の開始を指令することができる。また、ユーザは、操作キー１４を操作することにより、コマンド表示欄５９の「Ｎｏ」のコマンドアイコンを選択し、ボイスメモの入力受付処理をキャンセルすることができる。
【０１１４】
ステップＳ５８において、主制御部３１は、図９［Ｄ］のボイスメモ入力受付指示画面に基づいて、ユーザが操作キー１４を操作してコマンド表示欄５８の「Ｙｅｓ」のアイコンを選択することにより、ボイスメモの入力受付が指示されたか否かを判定する。
【０１１５】
具体的には、ユーザが操作キー１４を操作することによりコマンド表示欄５８の「Ｙｅｓ」のアイコンを選択した場合、ステップＳ５８で主制御部３１は、ユーザが操作キー１４を操作してコマンド表示欄５８の「Ｙｅｓ」のアイコンを選択することによりボイスメモの入力受付が指示されたと判定する。
【０１１６】
ステップＳ５８においてユーザにより操作キー１４が操作されてコマンド表示欄５８の「Ｙｅｓ」のアイコンが選択されることによりボイスメモの入力受付が指示されたと判定された場合、主制御部３１はステップＳ５９で、ＬＣＤ制御部３６を制御し、ボイスメモの入力を受け付けるためのボイスメモ入力受付画面を液晶ディスプレイ１７に表示させる。液晶ディスプレイ１７は、ＬＣＤ制御部３６の制御に従い、ボイスメモの入力を受け付けるためのボイスメモ入力受付画面を表示する。
【０１１７】
例えば図９［Ｅ］に示されるメモ入力受付画面は、メッセージ表示欄６０、およびコマンドを表示するコマンド表示欄６１を有する。
【０１１８】
図９［Ｅ］の例の場合、メッセージ表示欄６０には、メッセージとして「ボイスメモを入力してください。」が表示される。これにより、ユーザは、これ以降の処理により、メモリカード４６の挿入または取り出しを行う際のボイスメモを入力することができることが分かる。
【０１１９】
コマンド表示欄６１は、「ＯＫ」というコマンドのアイコンを有している。ユーザは、操作キー１４を操作することにより、コマンド表示欄６１の「ＯＫ」のコマンドアイコンを選択し、ボイスメモの入力受付の確定を指令することができる。
【０１２０】
ステップＳ６０において、主制御部３１は、マイクロフォン１５を介して、ユーザの音声によるボイスメモの入力を受け付ける。例えば「品川駅でメモリカードを取り出しています」というボイスメモの入力が受け付けられる。
【０１２１】
主制御部３１は、音声コーデック４０を制御し、記録媒体であるメモリカード４６が取り扱われる際のボイスメモ（例えば「品川駅でメモリカードを取り出しています」というボイスメモなど）をディジタル音声信号に変換、圧縮し、圧縮後のディジタル音声信号（ボイスメモデータ）を順次ＲＡＭに一時的に記憶させる
一方、ステップＳ５８においてユーザにより操作キー１４が操作されてコマンド表示欄５８の「Ｙｅｓ」のアイコンが選択されずに、ボイスメモの入力受付が指示されていないと判定された場合（すなわち、ユーザにより操作キー１４が操作されてコマンド表示欄５９の「Ｎｏ」のアイコンが選択されることによりボイスメモの入力受付が指示されていないと判定された場合）、ステップＳ５９乃至Ｓ６０の処理はスキップされる。これにより、ユーザによりボイスメモが入力されず、ボイスメモの入力は受け付けられない。
【０１２２】
その後、ステップＳ６１に進み、ステップＳ６０のボイスメモ入力受付処理によりボイスメモの入力が受け付けられた場合には、ＧＰＳ情報と集音データだけでなく、さらに入力が受け付けられたボイスメモに関するデータとに基づき、ステップＳ６１において記録媒体取扱付加情報が生成される。一方、ステップＳ６０のメモ入力受付処理によりボイスメモの入力が受け付けられなかった場合には、ＧＰＳ情報と集音データのみに基づいて、ステップＳ６１において記録媒体取扱付加情報が生成される。
【０１２３】
これにより、ユーザは、後日ボイスメモを再生することで、どこでメモリカード４６を挿入または取り出したのかを正確に記録することができるとともに、メモリカード４６の挿入または取り出しという行為自体を行っているということを認識することができる。
【０１２４】
従って、ユーザが気づかないうちにメモリカードを紛失してしまった場合に、ユーザは、どこでメモリカードを携帯電話機から最終的に取り出したかを確実に知ることができ、その場所に従い、効率的に紛失したメモリカード４６の捜索を行うことができる。
【０１２５】
その結果、記録媒体の利用性をより向上させることができる。
【０１２６】
なお、図１１のフローチャートを用いて説明した記録媒体取扱情報記憶処理においては、メモ入力受付画面を表示し、ユーザにより操作キー１４が操作されることで、記録媒体であるメモリカード４６の挿入または取り出しが行われる際のメモの入力を受け付けるようにしたが、このような場合に限られず、ユーザにより任意のタイミングでＣＣＤカメラ２０を用いて静止画や動画などを撮像させるようにしてもよい。以下、この方法を用いた記録媒体取扱情報記憶処理について説明する。
【０１２７】
図１３のフローチャートを参照して、図３の携帯電話機１における他の記録媒体取扱情報記憶処理について説明する。なお、図１３のステップＳ７１乃至Ｓ７６、およびステップＳ８２乃至Ｓ８４の処理は、図４のステップＳ１乃至Ｓ９の処理と同様であり、その説明は繰り返しになるので省略する。
【０１２８】
ステップＳ７７において、主制御部３１は、ＬＣＤ制御部３６を制御し、メモリカード４６の挿入または取り出しが行われる際の静止画や動画の撮像を指示するための撮像指示画面を液晶ディスプレイ１７に表示させる。液晶ディスプレイ１７は、ＬＣＤ制御部３６の制御に従い、メモリカード４６の挿入または取り出しが行われる際の静止画や動画の撮像を指示するための撮像指示画面を表示する。
【０１２９】
例えば図９［Ｆ］に示されるメモ入力受付指示画面は、メッセージ表示欄６２、およびコマンドを表示するコマンド表示欄６３とコマンド表示欄６４を有する。
【０１３０】
図９［Ｆ］の例の場合、メッセージ表示欄６２には、メッセージとして「撮像しますか？」が表示される。これにより、ユーザは、これ以降の処理により、メモリカード４６の挿入または取り出しが行われる際の静止画や動画の撮像を指示することができることが分かる。
【０１３１】
コマンド表示欄６３とコマンド表示欄６４は、それぞれ、「Ｙｅｓ」と「Ｎｏ」というコマンドのアイコンを有している。ユーザは、操作キー１４を操作することにより、コマンド表示欄６３の「Ｙｅｓ」のコマンドアイコンを選択し、メモリカード４６の挿入または取り出しが行われる際の静止画や動画の撮像の開始を指令することができる。また、ユーザは、操作キー１４を操作することにより、コマンド表示欄６４の「Ｎｏ」のコマンドアイコンを選択し、メモリカード４６の挿入または取り出しが行われる際の静止画や動画の撮像処理をキャンセルすることができる。
【０１３２】
ステップＳ７８において、主制御部３１は、図９［Ｆ］の撮像指示画面に基づいて、ユーザが操作キー１４を操作してコマンド表示欄６３の「Ｙｅｓ」のアイコンを選択することにより、メモリカード４６の挿入または取り出しが行われる際の静止画や動画の撮像が指示されたか否かを判定する。
【０１３３】
具体的には、ユーザが操作キー１４を操作することによりコマンド表示欄６３の「Ｙｅｓ」のアイコンを選択した場合、ステップＳ７８で主制御部３１は、ユーザが操作キー１４を操作してコマンド表示欄６３の「Ｙｅｓ」のアイコンを選択することにより、メモリカード４６の挿入または取り出しが行われる際の静止画や動画の撮像が指示されたと判定する。
【０１３４】
ステップＳ７８においてユーザにより操作キー１４が操作されてコマンド表示欄６３の「Ｙｅｓ」のアイコンが選択されることにより、メモリカード４６の挿入または取り出しが行われる際の静止画や動画の撮像が指示されたと判定された場合、主制御部３１はステップＳ７９で、カメラインタフェース部３５を介してＣＣＤカメラ２０を起動する。
【０１３５】
ステップＳ８０において、主制御部３１は、ＬＣＤ制御部３６を制御し、ＣＣＤカメラ２０を用いて撮像する際の撮像画面を液晶ディスプレイ１７に表示させる。液晶ディスプレイ１７は、ＬＣＤ制御部３６の制御に従い、例えば図９［Ｇ］に示されるように、ＣＣＤカメラ２０を用いて撮像する際の撮像画面を表示する。
【０１３６】
ステップＳ８１において、主制御部３１は、ユーザにより操作キー１４のうちの例えば確定キーが押下されると、カメラインタフェース部３５を介してＣＣＤカメラ２０を制御し、静止画や動画を撮像させる。ＣＣＤカメラ２０は、主制御部３１の制御に従い、静止画や動画を撮像する。
【０１３７】
ＣＣＤカメラ２０は、撮像された画像信号をカメラインタフェース部３５を介して画像エンコーダ３４に供給する。
【０１３８】
主制御部３１は、画像エンコーダ３４を制御し、ＣＣＤカメラ２０から供給された画像信号を、例えばＭＰＥＧ（Moving Picture Experts Group）４などの所定の符号化方式によって圧縮符号化することにより符号化画像信号に変換し、変換された符号化画像信号をＲＡＭに一時的に記憶させる
一方、ステップＳ７８においてユーザにより操作キー１４が操作されてコマンド表示欄６３の「Ｙｅｓ」のアイコンが選択されずに、メモリカード４６の挿入または取り出しが行われる際の静止画や動画の撮像が指示されていないと判定された場合（すなわち、ユーザにより操作キー１４が操作されてコマンド表示欄６４の「Ｎｏ」のアイコンが選択されることにより、メモリカード４６の挿入または取り出しが行われる際の静止画や動画の撮像が指示されていないと判定された場合）、ステップＳ７９乃至Ｓ８１の処理はスキップされる。これにより、メモリカード４６の挿入または取り出しが行われる際の静止画や動画の撮像は行われない。
【０１３９】
その後、ステップＳ８２に進み、ステップＳ８１の撮像処理によりメモリカード４６の挿入または取り出しが行われる際の静止画や動画が撮像された場合には、ＧＰＳ情報と集音データだけでなく、さらに撮像された画像信号とに基づき、ステップＳ８２において記録媒体取扱付加情報が生成される。一方、ステップＳ８１の撮像処理によりメモリカード４６の挿入または取り出しが行われる際の静止画や動画が撮像されなかった場合にはＧＰＳ情報と集音データのみに基づいて、ステップＳ８２において記録媒体取扱付加情報が生成される。
【０１４０】
これにより、ユーザは、後日撮像された画像信号（静止画や動画の画像信号）を再生することで、どこでメモリカード４６を挿入または取り出したのかをより正確に記録することができるとともに、メモリカード４６の挿入または取り出しという行為自体を行っているということを認識することができる。
【０１４１】
従って、ユーザが気づかないうちにメモリカードを紛失してしまった場合に、ユーザは、どこでメモリカードを携帯電話機から最終的に取り出したかを確実に知ることができ、その場所に従い、効率的に紛失したメモリカード４６の捜索を行うことができる。
【０１４２】
その結果、記録媒体の利用性をより向上させることができる。
【０１４３】
なお、本発明の実施形態においては、記録媒体であるメモリカード４６の挿入または取り出しが行われた際の現在地に関する情報として、ＧＰＳ情報を受信し、受信されたＧＰＳ情報を用いるようにしたが、これ以外にも、例えば図示せぬ基地局からの基地局情報を用いるようにしてもよい。また、ＧＰＳ情報を用いる場合、図示せぬＧＰＳ放送局からＧＰＳ情報を受信することができない場合には、ＧＰＳ情報を記録媒体取扱付加情報に含めないようにしてもよい。さらに、これらのＧＰＳ情報や基地局情報は、携帯電話機１の移動が頻繁であるときは、頻繁に更新した上で記録媒体取扱付加情報を生成し、携帯電話機１の移動が頻繁ではないときは、すでに取得したＧＰＳ情報または基地局情報に基づいて記録媒体取扱付加情報を生成するようにしてもよい。
【０１４４】
また、図４、および図１１乃至図１３のフローチャートを用いた記録媒体取扱情報記憶処理においては、記録媒体取扱情報を生成し、さらに、記録媒体取扱情報に付加するための情報である記録媒体取扱付加情報を生成し、生成された記録媒体取扱情報と記録媒体取扱付加情報を対応付けて記録媒体取扱履歴に記憶させるようにしたが、このような場合に限られず、少なくとも、ユーザが後日記録媒体であるメモリカード４６がいつ取り出されたのかを知ることができるように、取扱日時と取扱状況に関する情報が含まれる記録媒体取扱情報のみを生成して記憶するようにしてもよい。このとき、記憶される記録媒体取扱情報には、少なくとも、最後に行われた取扱に関する情報（取扱日時や取扱状況に関する情報）が含まれてさえすればよい。
【０１４５】
さらに、ＧＰＳ情報や集音データ以外に、例えばメモリカード４６の挿入または取り出しが行われる際の温度や湿度に関する情報や、電池残量などに基づいて記録媒体取扱付加情報を生成するようにしてもよい。
【０１４６】
また、携帯電話機１を閉じられた状態から開けられた状態にするときや、電源のＯＮ・ＯＦＦを切り替える際などの特定の操作時に、メモリカード４６が挿入されているか否かを示す確認音を発生したり、確認表示をするようにしてもよい。なお、この機能は、ユーザの好みに応じてＯＦＦに切り替えて設定するようにしてもよい。
【０１４７】
これにより、ユーザがメモリカード４６を取り扱う際に、注意を喚起することができ、気づかないうちにメモリカード４６を紛失することを防止することができる。
【０１４８】
さらに、本発明の実施形態においては、記録媒体としてメモリカード４６に本発明を適用するようにしたが、紛失する可能性があるあらゆる記録媒体に本発明を適用することができる。
【０１４９】
なお、本発明は、携帯電話機１以外にも、ＰＤＡ（Personal Digital Assistant）、パーソナルコンピュータ、携帯型ゲーム機、携帯型音楽再生機、携帯型動画再生機、その他の情報処理装置にも適用することができる。
【０１５０】
また、本発明の実施形態において説明した一連の処理は、ソフトウェアにより実行させることもできるが、ハードウェアにより実行させることもできる。
【０１５１】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【０１５２】
【図１】本発明に係る情報処理装置に適用可能な携帯電話機の外観の構成を示す外観図。
【図２】本発明に係る情報処理装置に適用可能な携帯電話機の他の外観の構成を示す外観図。
【図３】本発明に係る情報処理装置に適用可能な携帯電話機の内部の構成を示すブロック図。
【図４】図３の携帯電話機における記録媒体取扱情報記憶処理を説明するフローチャート。
【図５】記録媒体取扱情報と記録媒体取扱付加情報のデータ構成を示す図。
【図６】記憶部に記憶されている記録媒体取扱履歴の構成例を示す図。
【図７】記憶部に記憶されている記録媒体取扱履歴の構成例を示す図。
【図８】図３の携帯電話機における記録媒体取扱履歴表示処理を説明するフローチャート。
【図９】図３の液晶ディスプレイに表示される表示例を示す図。
【図１０】図３の携帯電話機における記録媒体取り出し時報知音発生処理を説明するフローチャート。
【図１１】図３の携帯電話機における他の記録媒体取扱情報記憶処理を説明するフローチャート。
【図１２】図３の携帯電話機における他の記録媒体取扱情報記憶処理を説明するフローチャート。
【図１３】図３の携帯電話機における他の記録媒体取扱情報記憶処理を説明するフローチャート。
【符号の説明】
【０１５３】
１…携帯電話機、１１…ヒンジ、１２…第１の筐体、１３…第２の筐体、１４…操作キー、１５…マイクロフォン、１６…サイドキー、１７…液晶ディスプレイ、１８…スピーカ、１９a乃至１９d…磁気センサ、２０…ＣＣＤカメラ、２１…サブディスプレイ、２２…静電タッチパッド、３１…主制御部、３２…電源回路部、３３…操作入力制御部、３４…画像エンコーダ、３５…カメラI/F部、３６…ＬＣＤ制御部、３７…画像デコーダ、３８…多重分離部、３９…変復調回路部、４０…音声コーデック、４１…メインバス、４２…同期バス、４３…送受信回路部、４４…アンテナ、４５…記録再生部、４６…メモリカード、４７…記憶部、４８…音楽制御部、４９…ＧＰＳ受信部。
【図１】
2008147950.tif 000003
【図２】
2008147950.tif 000004
【図３】
2008147950.tif 000005
【図４】
2008147950.tif 000006
【図５】
2008147950.tif 000007
【図６】
2008147950.tif 000008
【図７】
2008147950.tif 000009
【図８】
2008147950.tif 000010
【図９】
2008147950.tif 000011
【図１０】
2008147950.tif 000012
【図１１】
2008147950.tif 000013
【図１２】
2008147950.tif 000014
【図１３】
2008147950.tif 000015